(57)【要約】【課題】少なくとも映像信号と制御信号とを伝送するためのハードウェアに要する費用を低減させることが可能な技術が提供されることが望まれる。【解決手段】所定のデータ容量をパケット単位とするフォーマットにより映像信号から１以上の映像パケットを生成する第１のパケット生成部と、前記所定のデータ容量と同一のデータ容量をパケット単位とするフォーマットにより制御信号から１以上の制御パケットを生成する第２のパケット生成部と、前記映像パケットおよび前記制御パケットを含むフレームを生成するフレーム生成部と、を備える、フレーム生成装置が提供される。【選択図】図７
2017077746.tif 000002
【特許請求の範囲】
【請求項１】
所定のデータ容量をパケット単位とするフォーマットにより映像信号から１以上の映像パケットを生成する第１のパケット生成部と、
前記所定のデータ容量と同一のデータ容量をパケット単位とするフォーマットにより制御信号から１以上の制御パケットを生成する第２のパケット生成部と、
前記映像パケットおよび前記制御パケットを含むフレームを生成するフレーム生成部と、
を備える、フレーム生成装置。
【請求項２】
前記第２のパケット生成部は、前記制御パケットそれぞれの先頭にパケット開始識別子を付する、
請求項１に記載のフレーム生成装置。
【請求項３】
前記パケット開始識別子は、少なくとも前記映像信号には存在しない所定のコードに置換される、
請求項２に記載のフレーム生成装置。
【請求項４】
前記第２のパケット生成部は、前記所定のデータ容量と同一のデータ容量をパケット単位とするフォーマットにより音声信号から１以上の音声パケットを生成し、
前記フレーム生成部は、前記映像パケット、前記制御パケットおよび前記音声パケットを含む前記フレームを生成する、
請求項１に記載のフレーム生成装置。
【請求項５】
前記第２のパケット生成部は、前記音声パケットそれぞれの先頭にパケット開始識別子を付する、
請求項４に記載のフレーム生成装置。
【請求項６】
前記第２のパケット生成部は、前記制御パケットそれぞれの先頭に付された前記パケット開始識別子の直後に前記制御パケットに対応する情報をパケット種類識別子として付する、
請求項５に記載のフレーム生成装置。
【請求項７】
前記第２のパケット生成部は、前記音声パケットそれぞれの先頭に付された前記パケット開始識別子の直後に前記音声パケットに対応する情報を前記パケット種類識別子として付する、
請求項６に記載のフレーム生成装置。
【請求項８】
前記フレーム生成部は、前記フレームの先頭にフレーム開始識別子を付する、
請求項１に記載のフレーム生成装置。
【請求項９】
所定のデータ容量をパケット単位とするフォーマットにより映像信号から１以上の映像パケットを生成することと、
前記所定のデータ容量と同一のデータ容量をパケット単位とするフォーマットにより制御信号から１以上の制御パケットを生成することと、
前記映像パケットおよび前記制御パケットを含むフレームを生成することと、
を含む、フレーム生成方法。
【請求項１０】
映像信号から生成された所定のデータ容量をパケット単位とする１以上の映像パケットおよび制御信号から生成された前記所定のデータ容量と同一のデータ容量をパケット単位とする１以上の制御パケットを含むフレームにおいて前記映像パケットおよび前記制御パケットを検出して検出結果を得るパケット検出部と、
前記検出結果に基づいて、前記フレームから前記映像パケットと前記制御パケットとを分離するパケット分離部と、
を備える、パケット分離装置。
【請求項１１】
前記パケット検出部は、先頭にパケット開始識別子が付されているパケットを前記制御パケットとして検出し、先頭にパケット開始識別子が付されていないパケットを前記映像パケットとして検出する、
請求項１０に記載のパケット分離装置。
【請求項１２】
前記パケット開始識別子は、少なくとも前記映像信号には存在しない所定のコードから置換される、
請求項１１に記載のパケット分離装置。
【請求項１３】
前記パケット検出部は、音声信号から生成された前記所定のデータ容量と同一のデータ容量をパケット単位とする１以上の音声パケットをさらに含む前記フレームから、前記音声パケット、前記映像パケットおよび前記制御パケットを検出し、
前記パケット分離部は、前記音声パケットから前記音声信号を分離する、
請求項１０に記載のパケット分離装置。
【請求項１４】
前記パケット検出部は、先頭にパケット開始識別子が付されているパケットを前記音声パケットまたは前記制御パケットとして検出する、
請求項１３に記載のパケット分離装置。
【請求項１５】
前記パケット検出部は、前記パケット開始識別子の直後に前記制御パケットに対応する情報がパケット種類識別子として付されているパケットを前記制御パケットとして検出する、
請求項１４に記載のパケット分離装置。
【請求項１６】
前記パケット検出部は、前記パケット開始識別子の直後に前記音声パケットに対応する情報がパケット種類識別子として付されているパケットを前記音声パケットとして検出する、
請求項１５に記載のパケット分離装置。
【請求項１７】
前記パケット検出部は、前記フレームの先頭に付されているフレーム開始識別子の位置に基づいて、前記フレームから前記映像パケットおよび前記制御パケットを検出する、
請求項１０に記載のパケット分離装置。
【請求項１８】
映像信号から生成された所定のデータ容量をパケット単位とする１以上の映像パケットおよび制御信号から生成された前記所定のデータ容量と同一のデータ容量をパケット単位とする１以上の制御パケットを含むフレームにおいて前記映像パケットおよび前記制御パケットを検出して検出結果を得ることと、
前記検出結果に基づいて、前記フレームから前記映像パケットと前記制御パケットとを分離することと、
を備える、パケット分離方法。
【請求項１９】
所定のデータ容量をパケット単位とするフォーマットにより映像信号から１以上の映像パケットを生成する第１のパケット生成部と、
前記所定のデータ容量と同一のデータ容量をパケット単位とするフォーマットにより制御信号から１以上の制御パケットを生成する第２のパケット生成部と、
前記映像パケットおよび前記制御パケットを含むフレームを生成するフレーム生成部と、
前記フレームを送信する送信部と、を備える、送信器と、
前記フレームを受信する受信部と、
前記フレームにおいて前記映像パケットおよび前記制御パケットを検出して検出結果を得るパケット検出部と、
前記検出結果に基づいて、前記フレームから前記映像パケットと前記制御パケットとを分離するパケット分離部と、を備える、パケット分離装置と、
を有する、画像伝送システム。
【請求項２０】
所定のデータ容量をパケット単位とするフォーマットにより映像信号から１以上の映像パケットを生成することと、
前記所定のデータ容量と同一のデータ容量をパケット単位とするフォーマットにより制御信号から１以上の制御パケットを生成することと、
前記映像パケットおよび前記制御パケットを含むフレームを生成することと、
受信器に前記フレームを送信することと、
送信器から前記フレームを受信することと、
前記フレームから前記映像パケットおよび前記制御パケットを検出して検出結果を得ることと、
前記検出結果に基づいて、前記フレームから前記映像パケットと前記制御パケットとを分離することと、
を含む、画像伝送方法。
【発明の詳細な説明】
【技術分野】
【０００１】
本開示は、フレーム生成装置、フレーム生成方法、パケット分離装置、パケット分離方法、画像伝送システムおよび画像伝送方法に関する。
【背景技術】
【０００２】
近年、機器間の映像伝送規格として、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）およびＤｉｓｐｌａｙＰｏｒｔが規格化され、一般的に普及している（例えば、特許文献１参照。）。【０００３】
ＨＤＭＩにおいては、Ｓｏｕｒｃｅ機器とＳｉｎｋ機器とが３つのＨＤＭＩケーブルを介して接続されている。【０００４】
ＨＤＭＩケーブルは、Ｓｏｕｒｃｅ機器からＳｉｎｋ機器へＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号を伝送する。また、ＨＤＭＩケーブルは、２種類の双方向制御信号であるＤＤＣ（Ｄｉｓｐｌａｙ  Ｄａｔａ  Ｃｈａｎｎｅｌ）およびＣＥＣ（Ｃｏｎｓｕｍｅｒ  Ｅｌｅｃｔｒｏｎｉｃｓ  Ｃｏｎｔｒｏｌ）を伝送する。さらに、ＨＤＭＩケーブルは、機器接続を検出するための＋５ｖ信号およびＨＰＤ（Ｈｏｔ  Ｐｌｕｇ  Ｄｅｔｅｃｔ）信号を伝送する。【０００５】
ＴＭＤＳ信号は、映像音声信号を伝送する３チャンネルと映像クロックを伝送するチャンネルとの合計４チャンネルで構成される。また、ＤＤＣは、Ｉ２Ｃと同一フォーマットでＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報などといった制御信号であり、ＣＥＣは、１チャンネルで双方向の機器間動作制御信号である。つまり、ＴＭＤＳ信号とＤＤＣおよびＣＥＣとは異なるフォーマットによってやり取りされる。【０００６】
一方、ＤｉｓｐｌａｙＰｏｒｔにおいて、Ｓｏｕｒｃｅ機器とＳｉｎｋ機器とは、ＤｉｓｐｌａｙＰｏｒｔケーブルを介して接続されている。ＤｉｓｐｌａｙＰｏｒｔケーブルは、Ｓｏｕｒｃｅ機器からＳｉｎｋ機器へ映像音声信号を伝送するＭａｉｎ  ＬＩＮＫケーブルと、機器間制御を行うＡＵＸケーブルと、機器接続を検出するためのＨＰＤ接続ケーブルとによって構成される。ＤｉｓｐｌａｙＰｏｒｔにおいても、Ｍａｉｎ  ＬＩＮＫケーブルによって伝送される映像音声信号とＡＵＸケーブルによって伝送される制御信号とは異なるフォーマットによってやり取りされる。
【先行技術文献】
【特許文献】
【０００７】
【特許文献１】特開２０１３−９０１１３号公報
【発明の概要】
【発明が解決しようとする課題】
【０００８】
しかし、少なくとも映像信号と制御信号とを伝送するためのハードウェアに要する費用を低減させることが可能な技術が提供されることが望まれる。
【課題を解決するための手段】
【０００９】
本開示によれば、所定のデータ容量をパケット単位とするフォーマットにより映像信号から１以上の映像パケットを生成する第１のパケット生成部と、前記所定のデータ容量と同一のデータ容量をパケット単位とするフォーマットにより制御信号から１以上の制御パケットを生成する第２のパケット生成部と、前記映像パケットおよび前記制御パケットを含むフレームを生成するフレーム生成部と、を備える、フレーム生成装置が提供される。【００１０】
本開示によれば、所定のデータ容量をパケット単位とするフォーマットにより映像信号から１以上の映像パケットを生成することと、前記所定のデータ容量と同一のデータ容量をパケット単位とするフォーマットにより制御信号から１以上の制御パケットを生成することと、前記映像パケットおよび前記制御パケットを含むフレームを生成することと、を含む、フレーム生成方法が提供される。【００１１】
本開示によれば、映像信号から生成された所定のデータ容量をパケット単位とする１以上の映像パケットおよび制御信号から生成された前記所定のデータ容量と同一のデータ容量をパケット単位とする１以上の制御パケットを含むフレームにおいて前記映像パケットおよび前記制御パケットを検出して検出結果を得るパケット検出部と、前記検出結果に基づいて、前記フレームから前記映像パケットと前記制御パケットとを分離するパケット分離部と、を備える、パケット分離装置が提供される。【００１２】
本開示によれば、映像信号から生成された所定のデータ容量をパケット単位とする１以上の映像パケットおよび制御信号から生成された前記所定のデータ容量と同一のデータ容量をパケット単位とする１以上の制御パケットを含むフレームにおいて前記映像パケットおよび前記制御パケットを検出して検出結果を得ることと、前記検出結果に基づいて、前記フレームから前記映像パケットと前記制御パケットとを分離することと、を備える、パケット分離方法が提供される。【００１３】
本開示によれば、映像信号から生成された所定のデータ容量をパケット単位とする１以上の映像パケットおよび制御信号から生成された前記所定のデータ容量と同一のデータ容量をパケット単位とする１以上の制御パケットを含むフレームにおいて前記映像パケットおよび前記制御パケットを検出して検出結果を得ることと、前記検出結果に基づいて、前記フレームから前記映像パケットと前記制御パケットとを分離することと、を備える、パケット分離方法が提供される。【００１４】
本開示によれば、所定のデータ容量をパケット単位とするフォーマットにより映像信号から１以上の映像パケットを生成する第１のパケット生成部と、前記所定のデータ容量と同一のデータ容量をパケット単位とするフォーマットにより制御信号から１以上の制御パケットを生成する第２のパケット生成部と、前記映像パケットおよび前記制御パケットを含むフレームを生成するフレーム生成部と、前記フレームを送信する送信部と、を備える、送信器と、前記フレームを受信する受信部と、前記フレームにおいて前記映像パケットおよび前記制御パケットを検出して検出結果を得るパケット検出部と、前記検出結果に基づいて、前記フレームから前記映像パケットと前記制御パケットとを分離するパケット分離部と、を備える、パケット分離装置と、を有する、画像伝送システムが提供される。【００１５】
本開示によれば、所定のデータ容量をパケット単位とするフォーマットにより映像信号から１以上の映像パケットを生成することと、前記所定のデータ容量と同一のデータ容量をパケット単位とするフォーマットにより制御信号から１以上の制御パケットを生成することと、前記映像パケットおよび前記制御パケットを含むフレームを生成することと、受信器に前記フレームを送信することと、送信器から前記フレームを受信することと、前記フレームから前記映像パケットおよび前記制御パケットを検出して検出結果を得ることと、前記検出結果に基づいて、前記フレームから前記映像パケットと前記制御パケットとを分離することと、を含む、画像伝送方法が提供される。
【発明の効果】
【００１６】
以上説明したように本開示によれば、少なくとも映像信号と制御信号とを伝送するためのハードウェアに要する費用を低減させることが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１７】
【図１】一般的な複数のＨＤＭＩ機器同士の接続を示す図である。
【図２】一般的な複数のＤｉｓｐｌａｙＰｏｒｔ機器同士の接続を示す図である。
【図３】本開示の一実施形態に係るフレームのフォーマットを示す図である。
【図４】サイズが１８バイトである映像パケットの詳細構成例を示す図である。
【図５Ａ】１８バイトのパケットに対する映像信号の割り当ての第一の例を示す図である。
【図５Ｂ】１８バイトのパケットに対する映像信号の割り当ての第二の例を示す図である。
【図５Ｃ】１８バイトのパケットに対する映像信号の割り当ての第三の例を示す図である。
【図６】Ｎバイトのパケットに対する音声信号または制御信号の割り当ての例を示す図である。
【図７】フレームの構成の一例を示す図である。
【図８】本実施形態に係る画像伝送システムの構成例を示す図である。
【図９】フレーム生成器の詳細な構成例を示す図である。
【図１０】信号抽出器の詳細な構成例を示す図である。
【発明を実施するための形態】
【００１８】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１９】
また、本明細書および図面において、実質的に同一の機能構成を有する複数の構成要素を、同一の符号の後に異なる数字を付して区別する。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する。
【００２０】
なお、説明は以下の順序で行うものとする。
１．本実施形態の説明
１．１．背景
１．２．フレームのフォーマット
１．３．画像伝送システムの構成例
２．むすび
【００２１】
＜１．本実施形態の説明＞
［１．１．背景］
まず、本実施形態の背景について説明する。近年、機器間の映像伝送規格として、ＨＤＭＩおよびＤｉｓｐｌａｙＰｏｒｔが規格化され、一般的に普及している（例えば、特開２０１３−９０１１３号公報参照。）。図１は、一般的な複数のＨＤＭＩ機器同士の接続を示す図である。図１に示すように、Ｓｏｕｒｃｅ機器１０とＳｉｎｋ機器２０とは、ＨＤＭＩケーブル３０を介して接続されている。ＨＤＭＩケーブル３０には、チャネル群３１、ライン群３２およびライン群３３が含まれている。
【００２２】
Ｓｏｕｒｃｅ機器１０は、映像音声信号（Ｖｉｄｅｏ  Ａｕｄｉｏ１１）を生成し、生成した映像音声信号をＴＭＤＳ  ｅｎｃｏｄｅｒ１２によってＴＭＤＳ符号化し、ＴＭＤＳ符号化された映像音声信号を送信する。チャネル群３１は、Ｓｏｕｒｃｅ機器１０からＳｉｎｋ機器２０へＴＭＤＳ信号を伝送する。また、Ｓｉｎｋ機器２０は、ＴＭＤＳ符号化された映像音声信号を受信し、受信された映像音声信号をＴＭＤＳ  ｄｅｃｏｄｅｒ２１によって復号し、復号された映像音声信号をＭｏｎｉｔｏｒ  ｓｐｅａｋｅｒ２２によって再生する。
【００２３】
また、ライン群３２は、２種類の双方向制御信号であるＤＤＣおよびＣＥＣを伝送する。具体的には、Ｓｏｕｒｃｅ機器１０において、マイコン１６からＤＤＣがＤＤＣ  ｅｎｃ／ｄｅｃ１３に入力されると、ＤＤＣ  ｅｎｃ／ｄｅｃ１３によってＤＤＣが符号化され、送信される。ライン群３２は、Ｓｏｕｒｃｅ機器１０からＳｉｎｋ機器２０へＤＤＣを伝送する。Ｓｉｎｋ機器２０において、ＤＤＣがＤＤＣ  ｅｎｃ／ｄｅｃ２３によって復号され、マイコン２６に出力される。
【００２４】
一方、Ｓｉｎｋ機器２０において、マイコン２６からＤＤＣがＤＤＣ  ｅｎｃ／ｄｅｃ２３に入力されると、ＤＤＣ  ｅｎｃ／ｄｅｃ２３によってＤＤＣが符号化され、送信される。ライン群３２は、Ｓｉｎｋ機器２０からＳｏｕｒｃｅ機器１０へＤＤＣを伝送する。Ｓｏｕｒｃｅ機器１０において、ＤＤＣがＤＤＣ  ｅｎｃ／ｄｅｃ１３によって復号され、マイコン１６に出力される。
【００２５】
また、Ｓｏｕｒｃｅ機器１０において、マイコン１６からＣＥＣがＣＥＣ  ｅｎｃ／ｄｅｃ１４に入力されると、ＣＥＣ  ｅｎｃ／ｄｅｃ１４によってＣＥＣが符号化され、送信される。ライン群３２は、Ｓｏｕｒｃｅ機器１０からＳｉｎｋ機器２０へＣＥＣを伝送する。Ｓｉｎｋ機器２０において、ＣＥＣがＣＥＣ  ｅｎｃ／ｄｅｃ２４によって復号され、マイコン２６に出力される。
【００２６】
一方、Ｓｉｎｋ機器２０において、マイコン２６からＣＥＣがＣＥＣ  ｅｎｃ／ｄｅｃ２４に入力されると、ＣＥＣ  ｅｎｃ／ｄｅｃ２４によってＣＥＣが符号化され、送信される。ライン群３２は、Ｓｉｎｋ機器２０からＳｏｕｒｃｅ機器１０へＣＥＣを伝送する。Ｓｏｕｒｃｅ機器１０において、ＣＥＣがＣＥＣ  ｅｎｃ／ｄｅｃ１４によって復号され、マイコン１６に出力される。
【００２７】
さらに、ライン群３３は、機器接続を検出するための＋５ｖ信号およびＨＰＤ信号を伝送する。具体的には、ライン群３３は、Ｓｏｕｒｃｅ機器１０からＳｉｎｋ機器２０へ＋５ｖ信号（図１における＋５ｖ１５）を送信する。また、ライン群３３は、Ｓｉｎｋ機器２０からＳｏｕｒｃｅ機器１０へＨＰＤ信号（図１におけるＨＰＤ２５）を伝送する。
【００２８】
ＴＭＤＳ信号は、映像音声信号を伝送する３チャンネルと映像クロックを伝送するチャンネルとの合計４チャンネルで構成される。また、ＤＤＣは、Ｉ２Ｃと同一フォーマットでＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報などといった制御信号であり、ＣＥＣは、１チャンネルで双方向の機器間動作制御信号である。つまり、ＴＭＤＳ信号とＤＤＣおよびＣＥＣとは異なるフォーマットによってやり取りされる。
【００２９】
図２は、一般的な複数のＤｉｓｐｌａｙＰｏｒｔ機器同士の接続を示す図である。図２に示すように、Ｓｏｕｒｃｅ機器５０とＳｉｎｋ機器６０とは、ＤｉｓｐｌａｙＰｏｒｔケーブル７０を介して接続されている。ＤｉｓｐｌａｙＰｏｒｔケーブル７０には、Ｍａｉｎ  ＬＩＮＫケーブル７１およびＡＵＸケーブル７２が含まれている。
【００３０】
Ｓｏｕｒｃｅ機器５０は、映像音声信号（Ｖｉｄｅｏ  Ａｕｄｉｏ５１）を生成し、生成した映像音声信号をマイクロパケット化してＭａｉｎ  ＬＩＮＫ  Ｔｘ５２により伝送クロックレスで送信する。Ｍａｉｎ  ＬＩＮＫケーブル７１は、Ｓｏｕｒｃｅ機器５０からＳｉｎｋ機器６０へ映像音声信号を伝送する。Ｓｉｎｋ機器６０は、Ｍａｉｎ  ＬＩＮＫ  Ｒｘ６１により受信した映像音声信号から伝送クロックを再生し、マイクロパケット化された映像音声信号を復号し、復号された映像音声信号をＭｏｎｉｔｏｒ  ｓｐｅａｋｅｒに６２により再生する。
【００３１】
また、Ｓｏｕｒｃｅ機器５０において、マイコン５５からＡＵＸがＡＵＸ  Ｔｘ／Ｒｘ５３に入力されると、ＡＵＸがＡＵＸ  Ｔｘ／Ｒｘ５２によって送信される。ＡＵＸケーブル７２は、Ｓｏｕｒｃｅ機器５０からＳｉｎｋ機器６０へＡＵＸを伝送する。Ｓｏｕｒｃｅ機器５０において、ＡＵＸがＡＵＸ＿ｔｘによって受信され、マイコン１６に出力される。
【００３２】
また、Ｓｉｎｋ機器６０において、マイコン６５からＡＵＸがＡＵＸ  Ｔｘ／Ｒｘ６に入力されると、ＡＵＸがＡＵＸ  Ｔｘ／Ｒｘ６３によって送信される。ＡＵＸケーブル７２は、ＡＵＸをＳｉｎｋ機器６０からＳｏｕｒｃｅ機器５０へ伝送する。Ｓｏｕｒｃｅ機器５０において、ＡＵＸがＡＵＸ＿Ｒｘに５３によって受信され、マイコン５５に出力される。
【００３３】
さらに、ライン群３３は、機器接続を検出するための＋５ｖ信号およびＨＰＤ信号を伝送する。具体的には、ライン群３３は、Ｓｏｕｒｃｅ機器１０からＳｉｎｋ機器２０へ＋５ｖ信号（図１における＋５ｖ１５）を送信する。また、ライン群３３は、Ｓｉｎｋ機器２０からＳｏｕｒｃｅ機器１０へＨＰＤ信号（図１におけるＨＰＤ２５）を伝送する。
【００３４】
さらに、ＡＵＸケーブル７２は、機器接続を検出するためのＨＰＤ接続用ケーブルによって構成される。ＨＰＤ信号（ＨＰＤ６４）は、Ｓｉｎｋ機器６０から送信される。そして、ＡＵＸケーブル７２は、Ｓｉｎｋ機器６０からＳｏｕｒｃｅ機器５０へＨＰＤ信号（図１におけるＨＰＤ６４）を伝送する。Ｓｉｎｋ機器６０において、ＨＰＤ信号はＨＰＤ  Ｄｅｔ５４によって検出される。このとき、ＬＩＮＫケーブル７１によって伝送される映像音声信号とＡＵＸケーブル７２によって伝送される制御信号とは異なるフォーマットによってやり取りされる。
【００３５】
しかし、図１および図２を参照しながら説明したように、映像音声信号と制御信号とにおいてフォーマットが異なる場合には、映像音声信号と制御信号とを伝送するために異なるハードウェアおよび異なるケーブルが必要となり、ハードウェアおよびケーブルに要する費用が低減されない。そこで、映像音声信号と制御信号とを伝送するためのハードウェアおよびケーブルに要する費用を低減させることが可能な技術が低減されることが望まれる。
【００３６】
また、図１および図２を参照しながら説明したように、映像音声信号と制御信号とにおいてフォーマットが異なる場合には、映像音声信号と制御信号とを同一のハードウェアおよび同一のケーブルを用いて伝送することが困難であり、回路規模および消費電力が低減されない。そのため、映像音声信号と制御信号との送受信を行うための回路規模および消費電力を低減させることが可能な技術が低減されることが望まれる。
【００３７】
そこで、本明細書では、映像音声信号と制御信号とを伝送するためのハードウェアおよびケーブルに要する費用、回路規模および消費電力を低減させることが可能な技術を提案する。なお、本明細書において、映像音声信号は、映像信号および音声信号の両方を含む概念である。本明細書では、映像音声信号と制御信号とを伝送するためのハードウェアおよびケーブルに要する費用、回路規模および消費電力を低減させることが可能な技術を提案する。
【００３８】
以上、本実施形態の背景について説明した。
【００３９】
［１．２．フレームのフォーマット］
続いて、本実施形態に係るフレームのフォーマットについて説明する。図３は、本実施形態に係るフレームのフォーマットを示す図である。図３に示すように、フレーム１００は、Ｎバイトのデータ（１バイトのデータ１０４がＮ個集まった最小伝送単位）がＭ個集まることによって構成される。（以下、この最小伝送単位を「パケット」とも言う。）。したがって、フレームのサイズは、Ｎ×Ｍバイトである。図３に示すように、フレーム１００の先頭には、フレーム開始識別子（以下、「シンク１０１」とも言う。）がパケットとして付される。
【００４０】
シンク１０１には、少なくとも映像信号には存在しない所定のコード（以下、「特殊データ」とも言う。）のいずれか一つが割り当てられている。例えば、特殊データは、伝送路を送受信されるデータの符号化に依存する。例えば、伝送路を送受信されるデータの符号化にＡＮＳＩ  ８ｂ／１０ｂ変換が用いられる場合、特殊コードには、Ｋコードが割り当てられている。本実施形態においては、シンク１０１には、Ｋ２８．５と呼ばれているＫコード（０ｘＢＣ）がＮバイト連続したデータが割り当てられている。
【００４１】
また、フレーム１００には、シンク１０１に続いて、ペイロード１０２が付される。ペイロード１０２は、Ｎバイトのパケット１０３が、Ｍ個からシンク１０１の１個分を除いた（Ｍ−１）個連続することによって構成される。ペイロード１０２には、映像信号、音声信号および制御信号といった伝送対象のデータが含まれ得る。このように、伝送対象のデータは、パケット１０３ごとにペイロード１０２として付されてから伝送される。なお、本実施形態に係る制御信号は、映像信号および音声信号の再生を制御するための信号、機器制御信号などといった各種制御信号を含む。
【００４２】
ここで、パケット１０３のサイズ（Ｎバイト）は特に限定されない。本実施形態では、一例として、パケット１０３のサイズ（Ｎバイト）が１８バイトである場合を主に説明する。まず、映像信号がパケット化された映像パケットの詳細構成例について説明する。図４は、サイズが１８バイトである映像パケット２０３の詳細構成例を示す図である。図４に示すように、サイズが１８バイトである映像パケット２０３は、１バイトデータが、１８個連続することによって構成される。
【００４３】
図５Ａは、１８バイトのパケットに対する映像信号の割り当ての第一の例を示す図である。図５Ａは、映像信号を構成する画素要素Ｒ、Ｇ、Ｂそれぞれのサイズが８ビットの例を示している。図５Ａを参照すると、Ａ番目伝送画素からＡ＋５番目伝送画素までにおけるそれぞれの画素要素Ｒ、Ｇ、Ｂが順番に映像パケット２０３として伝送されることが示されている。
【００４４】
図５Ｂは、１８バイトのパケットに対する映像信号の割り当ての第二の例を示す図である。図５Ｂは、映像信号を構成する画素要素Ｒ、Ｇ、Ｂそれぞれのサイズが１２ビットの例を示している。図５Ｂを参照すると、Ａ番目伝送画素からＡ＋３番目伝送画素までにおけるそれぞれの画素要素Ｒ、Ｇ、Ｂが順番に映像パケット２０３として伝送されることが示されている。
【００４５】
図５Ｃは、１８バイトのパケットに対する映像信号の割り当ての第三の例を示す図である。図５Ｃは、映像信号を構成する画素要素Ｒ、Ｇ、Ｂそれぞれのサイズが１０ビットの例を示している。この例においては、各画素要素の下位にダミー（Ｄ）ビットが２ビット追加されることによって、画素要素Ｒ、Ｇ、Ｂそれぞれが出現する周期が図５Ｂに示した例と同様になる。
【００４６】
図６は、Ｎバイトのパケットに対する音声信号または制御信号（以下、「音声・制御信号」とも言う。）の割り当ての例を示す図である。
【００４７】
図６を参照すると、音声・制御パケット５０３の先頭には、音声・制御パケット５０３の開始を示すパケット開始識別子５０４が付される。パケット開始識別子５０４には、特殊データのいずれか一つが割り当てられている。例えば、特殊データは、伝送路を送受信されるデータの符号化に依存する。例えば、伝送路を送受信されるデータの符号化にＡＮＳＩ  ８ｂ／１０ｂ変換が用いられる場合、特殊コードには、Ｋコードが割り当てられている。本実施形態においては、パケット開始識別子５０４には、Ｋ２７．７と呼ばれているＫコード（０ｘＦＢ）が割り当てられている。
【００４８】
また、パケット開始識別子５０４に続いて、パケットの種類（例えば、音声信号のパケット、制御信号のパケットなど）を識別するためのパケット種類識別子５０５が付される。パケット種類識別子５０５に続いて、ペイロード５０６が（Ｎ−３）バイト分付される。ペイロード５０６には、パケットの種類に応じたデータが格納される。ペイロード５０６に格納されるデータのサイズが（Ｎ−３）バイトに満たない場合は、ペイロード５０６に格納されるデータのサイズが（Ｎ−３）バイトになるまでダミービットが格納される。
【００４９】
音声・制御パケット５０３の最後のＮ番目バイトには、パケットの終了を示すパケット終了識別子５０７が付される。パケット終了識別子５０７には、特殊データのいずれか一つが割り当てられている。例えば、特殊データは、伝送路を送受信されるデータの符号化に依存する。例えば、伝送路を送受信されるデータの符号化にＡＮＳＩ  ８ｂ／１０ｂ変換が用いられる場合、特殊データには、Ｋコードが割り当てられている。本実施形態においては、パケット開始識別子５０４には、Ｋ２９．７と呼ばれているＫコード（０ｘＦＤ）が割り当てられている。
【００５０】
図７は、フレームの構成の一例を示す図である。図７に示すように、フレーム１００は、Ｎバイトのシンク１０１と、（Ｍ−１）×Ｎバイトのペイロード１０２とを有している。ペイロード１０２には、映像信号から生成されたパケット（以下、「映像パケット１０５」とも言う。）と、音声信号から生成された音声パケットまたは制御信号から生成された制御パケット（以下、「音声・制御パケット１０６」とも言う。）が、それぞれ１以上ずつ含まれている。
【００５１】
［１．３．画像伝送システムの構成例］
続いて、図８を参照しながら（適宜図１から図７までを参照）、上記したフォーマットを有するフレームを伝送する画像伝送システムの構成例について説明する。図８は、本実施形態に係る画像伝送システムの構成例を示す図である。図８に示すように、画像伝送システム１は、映像音声生成器６００と、送信器７００と、受信器８００と、映像音声再生装置９００とを有する。なお、送信器７００は、「フレーム生成装置」として機能し得る。また、受信器８００は、「パケット分離装置」として機能し得る。
【００５２】
映像音声生成器６００は、映像信号６０１を生成し、生成した映像信号６０１を送信器７００に出力する。また、映像音声生成器６００は、音声・制御信号６０２を生成し、生成した音声・制御信号６０２を送信器７００に出力する。なお、本実施形態において、映像音声生成器６００による映像信号のデータレートおよび音声・制御信号のデータレートは、送信器７００によって送信可能なフレーム送信容量、受信器８００によって受信可能なフレーム受信容量より小さい。
【００５３】
送信器７００は、ＦＩＦＯ７０１、ＦＩＦＯ７０２、フレーム生成器７０３、タイミング生成部７０４、符号化器７０５、Ｐ／Ｓ（パラレルシリアル変換器）７０６、ＬＤＤ（レーザダイオードドライバ）７０７およびＬＤ（レーザダイオード）７０８を備える。また、受信器８００は、ＰＤ（フォトディテクタ）８０８、増幅器８０７、Ｓ／Ｐ（シリアルパラレル変換器）８０６、復号器８０５、タイミング生成器８０４、信号抽出器８０３、ＦＩＦＯ８０２よびＦＩＲＯ８０１を備える。
【００５４】
ＦＩＦＯ７０１は、映像音声生成器６００から出力された映像信号を受信し、速度調整を行う。より具体的には、ＦＩＦＯ７０１は、映像音声生成器６００から出力された映像信号を保持するメモリであり、保持している映像信号のデータ量を映像データ保持量としてタイミング生成部７０４に出力する。また、ＦＩＦＯ７０１は、タイミング生成部７０４から出力された映像信号読み出しタイミング情報に従って、映像信号をフレーム生成器７０３に出力する。
【００５５】
ＦＩＦＯ７０２は、映像音声生成器６００から出力された音声・制御信号を受信し、速度調整を行う。より具体的には、ＦＩＦＯ７０２は、映像音声生成器６００から出力された音声・制御信号を保持するメモリであり、保持している音声・制御信号のデータ量を音声・制御データ保持量としてタイミング生成部７０４に出力する。また、ＦＩＦＯ７０２は、タイミング生成部７０４から出力された音声・制御信号読み出しタイミング情報に従って、音声・制御信号をフレーム生成器７０３に出力する。
【００５６】
タイミング生成部７０４は、ＦＩＦＯ７０１から出力された映像データ保持量とフレーム生成器７０３から出力された出力タイミング情報とに基づいて、ＦＩＦＯ７０１に対する映像信号読み出しタイミング情報を生成し、生成した映像信号読み出しタイミング情報をＦＩＦＯ７０１に出力する。
【００５７】
また、タイミング生成部７０４は、ＦＩＦＯ７０２から出力された音声・制御データ保持量とフレーム生成器７０３から出力された出力タイミング情報とに基づいて、ＦＩＦＯ７０２に対する音声・制御信号読み出しタイミング情報を生成し、生成した音声・制御信号読み出しタイミング情報をＦＩＦＯ７０２に出力する。
【００５８】
さらに、タイミング生成部７０４は、フレーム生成部７０３７から出力されたシンク出力タイミング情報に基づいて、出力パケットを切り替えるタイミングを示すパケット切り替えタイミング情報を生成する。また、タイミング生成部７０４は、映像パケットおよび音声・制御パケットのいずれも出力しない場合には、フレーム構成を一定に保つためにダミーパケットを示すパケット切り替えタイミング情報を生成する。タイミング生成部７０４は、生成したパケット切り替えタイミング情報をフレーム生成器７０３のマルチプレクサ７０３５に出力する。
【００５９】
フレーム生成器７０３の詳細な構成例について説明する。図９は、フレーム生成器７０３の詳細な構成例を示す図である。入力ポート７０３１には、ＦＩＦＯ７０１から映像信号が入力され、入力ポート７０３２には、ＦＩＦＯ７０２から音声・制御信号が入力される。入力ポート７０３１に入力された映像信号は、第１のパケット生成部（以下、「パケット生成部７０３３」とも言う。）に出力され、入力ポート７０３２に入力された音声・制御信号は、第２のパケット生成部（以下、「パケット生成部７０３４」とも言う。）に出力される。
【００６０】
パケット生成部７０３３は、所定のデータ容量（Ｎバイト）をパケット単位とするフォーマットにより映像信号を順次にパケット化することによって、映像信号から１以上の映像パケットを順次に生成する。映像パケットの構成例は、図５Ａ〜図５Ｃに示した通りである。
【００６１】
パケット生成部７０３４は、当該所定のデータ容量と同一のデータ容量（Ｎバイト）をパケット単位とするフォーマットにより音声・制御信号を順次にパケット化することによって、音声・制御信号から１以上の音声・制御パケットを順次に生成する。
【００６２】
より具体的には、パケット生成部７０３４は、図６に示すように、音声・制御パケットの先頭にパケット開始識別子を付する。そして、パケット生成部７０３４は、入力されたパケットが音声パケットの場合には、パケット開始識別子の直後に音声パケットに対応する情報をパケット種類識別子５０５として付し、入力されたパケットが制御パケットの場合には、パケット開始識別子の直後に制御パケットに対応する情報をパケット種類識別子５０５として付する。
【００６３】
そして、パケット生成部７０３４は、音声・制御信号がＮ−３バイトあれば、パケット種類識別子に続いて、音声・制御信号をＮ−３バイトのペイロード５０６として付し、音声・制御信号がＮ−３バイトに満たない場合には、パケット種類識別子に続いて、音声・制御信号を付して、音声・制御信号の後にダミーデータを付して、音声・制御信号とダミーデータとの合計をＮ−３バイトにし、最後にパケット終了識別子５０７を付する。パケット終了識別子５０７は、パケットの終了を識別するために利用されてよい。
【００６４】
ダミーパケット生成部７０４０は、ダミーパケットを生成する。ダミーパケットのフォーマットは、図６に示した音声・制御パケットのフォーマットと同様である。したがって、ダミーパケット生成部７０４０は、音声・制御パケットと同様な手法によってダミーパケットを生成する。ただし、ダミーパケット生成部７０４０は、パケット開始識別子の直後にダミーパケットに対応する情報をパケット種類識別子として付する。
【００６５】
マルチプレクサ７０３５は、タイミング生成部７０４によって生成されたパケット切り替えタイミング情報に応じたパケットをフレーム生成部７０３７に出力する。より具体的には、マルチプレクサ７０３５は、パケット生成部７０３３から入力される映像パケット、パケット生成部７０３４から入力される音声・制御パケットおよびダミーパケット生成部７０４０から入力されるダミーパケットのいずれかのパケットを、パケット切り替えタイミング情報に従って選択し、選択したパケットをフレーム生成部７０３７に出力する。
【００６６】
また、マルチプレクサ７０３５は、パケット切り替えタイミング情報が音声・制御パケットを示す場合には、フレーム生成部７０３７への出力パケットを音声・制御パケットに切り替える。さらに、マルチプレクサ７０３５は、パケット切り替えタイミング情報がダミーパケットを示す場合には、フレーム生成部７０３７への出力パケットをダミーパケットに切り替える。
【００６７】
フレーム生成部７０３７は、フレーム１００の先頭にシンク１０１を付し、マルチプレクサ７０３５から入力されたパケットをシンク１０１に続いて順次にペイロード１０２として付することによって、フレーム１００を生成する。フレーム生成部７０３７によって生成されたフレーム１００は、出力ポート７０３９から符号化器７０５に出力される。
【００６８】
１つあたりのフレーム１００には、パケットがＭ個含まれるため、フレーム生成部７０３７によってＭパケット毎にシンク１０１が出力される。フレーム生成部７０３７によってシンク１０１が出力されたタイミングは、シンク出力タイミング情報として出力ポート７０３８からタイミング生成部７０４に出力される。
【００６９】
また、フレーム生成部７０３７は、シンク１０１、パケット開始識別子５０４およびパケット終了識別子５０７それぞれの出力タイミングに基づいて、シンク１０１、パケット開始識別子５０４およびパケット終了識別子５０７それぞれを特殊データに置き換えるタイミングを示す置換タイミング情報を、出力ポート７０４１から符号化器７０５に出力する。
【００７０】
符号化器７０５は、出力ポート７０３９から入力されるフレーム１００を符号化する。本実施形態では、符号化器７０５が８ｂ／１０ｂ符号化器である場合を想定する。そこで、符号化器７０５は、出力ポート７０４１から入力される置換タイミング情報に従って、フレーム１００のうち、シンク１０１、パケット開始識別子５０４およびパケット終了識別子５０７それぞれを、対応する１０ビットの特殊データに置換する。
【００７１】
一方、符号化器７０５は、フレーム１００のうち、残りのデータも１０ビットデータに置換する。シンク１０１、パケット開始識別子５０４およびパケット終了識別子５０７それぞれが置換されたフレームは、Ｐ／Ｓ（パラレルシリアル変換器）７０６に出力される。
【００７２】
Ｐ／Ｓ７０６は、符号化器７０５から出力されたフレームを高速伝送に適した形式にすべくパラレルデータからシリアルデータに変換する。Ｐ／Ｓ７０６は、シリアルデータに変換されたフレームをＬＤＤ７０７に出力する。ＬＤＤ７０７は、入力されたフレームに従ってＬＤ（レーザダイオード）７０８を駆動して、フレームをＬＤ７０８に出力する。
【００７３】
ＬＤ７０８は、ＬＤＤ７０７から出力されたフレームを、光ファイバによって構成された伝送路１０００を介して、受信器８００に送信する。なお、本実施形態においては、伝送路１０００が光ファイバによって構成され、ＬＤ７０８によってフレームを光信号に変換してから受信器８００に送信する場合を想定するが、送信器７００から受信器８００に送信される信号の種類は限定されない。例えば、送信器７００は電気信号によりフレームを受信器８００に送信してもよい。
【００７４】
受信器８００において、ＰＤ（フォトディテクタ）８０８は、伝送路１０００を介して送信器７００から光信号によって送信されたフレームを受光して電気信号に変換する。なお、本実施形態においては、伝送路１０００が光ファイバによって構成され、ＰＤ８０８によってフレームを受光して電気信号に変換する場合を想定するが、上記したように、送信器７００から受信器８００に送信される信号の種類は限定されない。例えば、受信器８００は電気信号によりフレームを送信器７００から受信してもよい。
【００７５】
増幅器８０７は、ＰＤ８０８から出力されたフレーム（電気信号）を増幅し、増幅したフレーム（電気信号）をＳ／Ｐ（シリアルパラレル変換器）８０６に出力する。例えば、増幅器８０７は、電流信号に対してインピーダンス変換を行うことによって電圧信号を得た後、電圧信号に対して振幅増幅を行ってよい。そして、Ｓ／Ｐ（シリアルパラレル変換器）８０６は、増幅器８０７から出力されたフレームをシリアルデータからパラレルデータに変換する。Ｓ／Ｐ８０６は、パラレルデータに変換されたフレームを復号器８０５に出力する。
【００７６】
復号器８０５は、Ｓ／Ｐ８０６から入力されるフレームを復号する。本実施形態では、復号器８０５が８ｂ／１０ｂ復号器である場合を想定する。そこで、復号器８０５は、入力されたフレームのうち、シンク１０１、パケット開始識別子５０４およびパケット終了識別子５０７それぞれに対応する１０ビットの特殊データを、シンク１０１、パケット開始識別子５０４およびパケット終了識別子５０７それぞれに置換する。
【００７７】
一方、復号器８０５は、入力されたフレームのうち、残りのデータも８ビットデータに置換する。シンク１０１、パケット開始識別子５０４およびパケット終了識別子５０７それぞれの特殊データが置換されたフレームは、信号抽出器８０３に出力される。また、復号器８０５は、特殊データを検出したタイミングを示す検出タイミング情報とその特殊データに対応する識別子（例えば、シンク１０１、パケット開始識別子５０４およびパケット終了識別子５０７など）を信号抽出器８０３に出力する。
【００７８】
信号抽出器８０３の詳細な構成例について説明する。図１０は、信号抽出器８０３の詳細な構成例を示す図である。入力ポート８０３９には、復号器８０５からフレームが入力され、入力ポート８０４０には、復号器８０５から検出タイミング情報および識別子が入力される。入力ポート８０３９に入力されたフレームと入力ポート８０４０に入力された特殊データおよび検出タイミング情報とは、パケット検出部８０３７に出力される。
【００７９】
パケット検出部８０３７は、検出タイミング情報に基づいて、シンク１０１に続いてＮバイト毎に出現するパケットのうち、先頭にパケット開始識別子５０４が存在しないパケットを映像パケットとして検出する。一方、パケット検出部８０３７は、検出タイミング情報に基づいて、シンク１０１に続いてＮバイト毎に出現するパケットのうち、先頭にパケット開始識別子５０４が存在するパケットを音声・制御パケットとして検出する。
【００８０】
このとき、パケット検出部８０３７は、パケット開始識別子５０４に続くパケット種類識別子５０５により、先頭にパケット開始識別子５０４が存在するパケットが音声パケットであるか、制御パケットであるかを検出する。パケット検出部８０３７は、フレームからシンク１０１を除外したパケット群をデマルチプレクサ８０３５に出力するとともに、パケット開始識別子の検出タイミング情報とパケット種類識別子とを、出力ポート８０３８からタイミング生成部８０４に出力する。
【００８１】
タイミング生成部８０４は、パケット開始識別子の検出タイミング情報とパケット種類識別子とに基づいて、各パケットの出力先と出力タイミングとを示す出力制御情報を生成する。映像パケットの出力先は、第１の信号抽出部（以下、「信号抽出部８０３３」とも言う。）であり、音声・制御パケットの出力先は、第２の信号抽出部（以下、「信号抽出部８０３４」とも言う。）である。タイミング生成部８０４は、生成した出力制御情報を、入力ポート８０３６を介してデマルチプレクサ８０３５に出力する。また、タイミング生成部８０４は、ＦＩＦＯ８０１による映像信号の出力速度を制御するとともに、ＦＩＦＯ８０２による音声信号の出力速度および制御信号の出力速度を制御する。
【００８２】
デマルチプレクサ（パケット分離部）８０３５は、パケット検出部８０３７から入力されたパケットを、タイミング生成部８０４から入力された出力制御情報に従って出力する。具体的に、デマルチプレクサ８０３５は、パケット検出部８０３７から入力された映像パケットをその出力タイミングに従って信号抽出部８０３３に出力し、音声・制御パケットをその出力タイミングに従って信号抽出部８０３４に出力する。
【００８３】
信号抽出部８０３３は、デマルチプレクサ８０３５から入力された映像パケットに基づいて映像信号を抽出する。具体的には、信号抽出部８０３３は、映像パケットに基づいて、画素ごとのＲＧＢ情報を生成する。
【００８４】
例えば、信号抽出部８０３３は、図５Ａに示した構造の映像パケットから、Ａ番目伝送画素からＡ＋５番目伝送画素までのそれぞれのＲＧＢ情報を生成する。あるいは、信号抽出部８０３３は、図５Ｂまたは図５Ｃに示した構造の映像パケットから、Ａ番目伝送画素からＡ＋３番目伝送画素までのそれぞれのＲＧＢ情報を生成する。信号抽出部８０３３は、生成した画素ごとのＲＧＢ情報をＦＩＦＯ８０１に出力する。
【００８５】
信号抽出部８０３４は、デマルチプレクサ８０３５から入力されたパケットに付されたパケット種類識別子５０５に基づいて、そのパケットが音声パケットであるか、制御パケットであるかを判別する。そして、信号抽出部８０３４は、パケットからパケット開始識別子５０４およびパケット種類識別子５０５およびパケット終了識別子５０７を除外することによって、パケットから音声・制御信号を抽出する。
【００８６】
そして、信号抽出部８０３４は、入力されたパケットが音声パケットである場合には、音声パケットから抽出された音声信号をＦＩＦＯ８０２の所定の音声信号書き込み領域に出力する。一方、信号抽出部８０３４は、入力されたパケットが制御パケットである場合には、制御パケットから抽出された制御信号をＦＩＦＯ８０２の所定の制御信号書き込み領域に出力する。
【００８７】
ＦＩＦＯ８０１は、信号抽出部８０３３から出力された映像信号を保持するメモリである。また、ＦＩＦＯ８０１は、タイミング生成部８０４による制御に従った速度で、映像信号を映像音声再生装置９００に出力する。
【００８８】
ＦＩＦＯ８０２は、信号抽出部８０３４から出力された音声信号を所定の音声信号書き込み領域に保持し、信号抽出部８０３４から出力された制御信号を所定の制御信号書き込み領域に保持するメモリである。また、ＦＩＦＯ８０２は、タイミング生成部８０４による制御に従った速度で音声信号を映像音声再生装置９００に出力し、タイミング生成部８０４による制御に従った速度で制御信号を映像音声再生装置９００に出力する。
【００８９】
映像音声再生装置９００は、入力された映像信号および音声信号を制御信号に従い再生する。映像音声再生装置９００は、例えば、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイ、プロジェクタなどの表示装置、ホログラムの表示装置、スピーカおよびヘッドホンなどの音声出力装置などであり得る。
【００９０】
＜２．むすび＞
以上説明したように、本開示の実施形態によれば、所定のデータ容量をパケット単位とするフォーマットにより映像信号から１以上の映像パケットを生成するパケット生成部７０３３と、所定のデータ容量と同一のデータ容量をパケット単位とするフォーマットにより制御信号から１以上の制御パケットを生成するパケット生成部７０３４と、映像パケットおよび制御パケットを含むフレームを生成するフレーム生成部７０３７と、を備える、フレーム生成装置７００が提供される。
【００９１】
かかる構成によれば、映像信号と制御信号とを伝送するためのハードウェアおよび異なるケーブルを共通化することが可能となる。したがって、映像信号と制御信号とを伝送するためのハードウェアおよびケーブルに要する費用を低減させることが可能とる。また、映像信号と制御信号との送受信を行うための回路規模および消費電力を低減させることが可能となる。
【００９２】
さらに、パケット生成部７０３３は、上記所定のデータ容量と同一のデータ容量をパケット単位とするフォーマットにより音声信号から１以上の音声パケットを生成し、フレーム生成部７０３７は、映像パケット、制御パケットおよび音声パケットを含むフレームを生成してもよい。
【００９３】
かかる構成によれば、映像音声信号と制御信号とを伝送するためのハードウェアおよび異なるケーブルを共通化することが可能となる。したがって、映像音声信号と制御信号とを伝送するためのハードウェアおよびケーブルに要する費用を低減させることが可能とる。また、映像音声信号と制御信号との送受信を行うための回路規模および消費電力を低減させることが可能となる。
【００９４】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００９５】
例えば、映像音声生成器６００、フレーム生成器７０３、タイミング生成部７０４および符号化器７０５は、別個のＩＣ（Ｉｎｔｅｇｒａｔｅｄ  Ｃｉｒｃｕｉｔ）に実装されてもよいし、いずれかの組み合わせが同一のＩＣに実装されてもよい。また、例えば、復号器８０５、信号抽出器８０３およびタイミング生成部８０４は、別個のＩＣに実装されてもよいし、いずれかの組み合わせが同一のＩＣに実装されてもよい。
【００９６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【００９７】
なお、以下のような構成も本開示の技術的範囲に属する。
（１）
所定のデータ容量をパケット単位とするフォーマットにより映像信号から１以上の映像パケットを生成する第１のパケット生成部と、
前記所定のデータ容量と同一のデータ容量をパケット単位とするフォーマットにより制御信号から１以上の制御パケットを生成する第２のパケット生成部と、
前記映像パケットおよび前記制御パケットを含むフレームを生成するフレーム生成部と、
を備える、フレーム生成装置。
（２）
前記第２のパケット生成部は、前記制御パケットそれぞれの先頭にパケット開始識別子を付する、
前記（１）に記載のフレーム生成装置。
（３）
前記パケット開始識別子は、少なくとも前記映像信号には存在しない所定のコードに置換される、
前記（２）に記載のフレーム生成装置。
（４）
前記第２のパケット生成部は、前記所定のデータ容量と同一のデータ容量をパケット単位とするフォーマットにより音声信号から１以上の音声パケットを生成し、
前記フレーム生成部は、前記映像パケット、前記制御パケットおよび前記音声パケットを含む前記フレームを生成する、
前記（１）〜（３）のいずれか一項に記載のフレーム生成装置。
（５）
前記第２のパケット生成部は、前記音声パケットそれぞれの先頭にパケット開始識別子を付する、
前記（４）に記載のフレーム生成装置。
（６）
前記第２のパケット生成部は、前記制御パケットそれぞれの先頭に付された前記パケット開始識別子の直後に前記制御パケットに対応する情報をパケット種類識別子として付する、
前記（５）に記載のフレーム生成装置。
（７）
前記第２のパケット生成部は、前記音声パケットそれぞれの先頭に付された前記パケット開始識別子の直後に前記音声パケットに対応する情報を前記パケット種類識別子として付する、
前記（６）に記載のフレーム生成装置。
（８）
前記フレーム生成部は、前記フレームの先頭にフレーム開始識別子を付する、
前記（１）〜（７）のいずれか一項に記載のフレーム生成装置。
（９）
所定のデータ容量をパケット単位とするフォーマットにより映像信号から１以上の映像パケットを生成することと、
前記所定のデータ容量と同一のデータ容量をパケット単位とするフォーマットにより制御信号から１以上の制御パケットを生成することと、
前記映像パケットおよび前記制御パケットを含むフレームを生成することと、
を含む、フレーム生成方法。
（１０）
映像信号から生成された所定のデータ容量をパケット単位とする１以上の映像パケットおよび制御信号から生成された前記所定のデータ容量と同一のデータ容量をパケット単位とする１以上の制御パケットを含むフレームにおいて前記映像パケットおよび前記制御パケットを検出して検出結果を得るパケット検出部と、
前記検出結果に基づいて、前記フレームから前記映像パケットと前記制御パケットとを分離するパケット分離部と、
を備える、パケット分離装置。
（１１）
前記パケット検出部は、先頭にパケット開始識別子が付されているパケットを前記制御パケットとして検出し、先頭にパケット開始識別子が付されていないパケットを前記映像パケットとして検出する、
前記（１０）に記載のパケット分離装置。
（１２）
前記パケット開始識別子は、少なくとも前記映像信号には存在しない所定のコードから置換される、
前記（１１）に記載のパケット分離装置。
（１３）
前記パケット検出部は、音声信号から生成された前記所定のデータ容量と同一のデータ容量をパケット単位とする１以上の音声パケットをさらに含む前記フレームから、前記音声パケット、前記映像パケットおよび前記制御パケットを検出し、
前記パケット分離部は、前記音声パケットから前記音声信号を分離する、
前記（１０）〜（１２）のいずれか一項に記載のパケット分離装置。
（１４）
前記パケット検出部は、先頭にパケット開始識別子が付されているパケットを前記音声パケットまたは前記制御パケットとして検出する、
前記（１３）に記載のパケット分離装置。
（１５）
前記パケット検出部は、前記パケット開始識別子の直後に前記制御パケットに対応する情報がパケット種類識別子として付されているパケットを前記制御パケットとして検出する、
前記（１４）に記載のパケット分離装置。
（１６）
前記パケット検出部は、前記パケット開始識別子の直後に前記音声パケットに対応する情報がパケット種類識別子として付されているパケットを前記音声パケットとして検出する、
前記（１５）に記載のパケット分離装置。
（１７）
前記パケット検出部は、前記フレームの先頭に付されているフレーム開始識別子の位置に基づいて、前記フレームから前記映像パケットおよび前記制御パケットを検出する、
前記（１０）〜（１６）のいずれか一項に記載のパケット分離装置。
（１８）
映像信号から生成された所定のデータ容量をパケット単位とする１以上の映像パケットおよび制御信号から生成された前記所定のデータ容量と同一のデータ容量をパケット単位とする１以上の制御パケットを含むフレームにおいて前記映像パケットおよび前記制御パケットを検出して検出結果を得ることと、
前記検出結果に基づいて、前記フレームから前記映像パケットと前記制御パケットとを分離することと、
を備える、パケット分離方法。
（１９）
所定のデータ容量をパケット単位とするフォーマットにより映像信号から１以上の映像パケットを生成する第１のパケット生成部と、
前記所定のデータ容量と同一のデータ容量をパケット単位とするフォーマットにより制御信号から１以上の制御パケットを生成する第２のパケット生成部と、
前記映像パケットおよび前記制御パケットを含むフレームを生成するフレーム生成部と、
前記フレームを送信する送信部と、を備える、送信器と、
前記フレームを受信する受信部と、
前記フレームにおいて前記映像パケットおよび前記制御パケットを検出して検出結果を得るパケット検出部と、
前記検出結果に基づいて、前記フレームから前記映像パケットと前記制御パケットとを分離するパケット分離部と、を備える、パケット分離装置と、
を有する、画像伝送システム。
（２０）
所定のデータ容量をパケット単位とするフォーマットにより映像信号から１以上の映像パケットを生成することと、
前記所定のデータ容量と同一のデータ容量をパケット単位とするフォーマットにより制御信号から１以上の制御パケットを生成することと、
前記映像パケットおよび前記制御パケットを含むフレームを生成することと、
受信器に前記フレームを送信することと、
送信器から前記フレームを受信することと、
前記フレームから前記映像パケットおよび前記制御パケットを検出して検出結果を得ることと、
前記検出結果に基づいて、前記フレームから前記映像パケットと前記制御パケットとを分離することと、
を含む、画像伝送方法。
【符号の説明】
【００９８】
１      画像伝送システム
１００  フレーム
１０１  シンク
１０２  ペイロード
１０３  パケット
２０３  映像パケット
５０３  制御パケット
５０４  パケット開始識別子
５０５  パケット種類識別子
５０６  ペイロード
５０７  パケット終了識別子
６００  映像音声生成器
６０１  映像信号
６０２  制御信号
７００  送信器
７０１  ＦＩＦＯ
７０２  ＦＩＦＯ
７０３  フレーム生成器
７０３１  入力ポート
７０３２  入力ポート
７０３３  パケット生成部
７０３４  パケット生成部
７０３５  マルチプレクサ
７０３７  フレーム生成部
７０３８  出力ポート
７０３９  出力ポート
７０４  タイミング生成部
７０４０  ダミーパケット生成部
７０４１  出力ポート
７０５  符号化器
８００  受信器
８０１  ＦＩＦＯ
８０２  ＦＩＦＯ
８０５  復号器
８０３  信号抽出器
８０３３  信号抽出部
８０３４  信号抽出部
８０３５  デマルチプレクサ
８０３６  入力ポート
８０３７  パケット検出部
８０３８  出力ポート
８０３９  入力ポート
８０４  タイミング生成部
８０４０  入力ポート
９００  映像音声再生装置
１０００  伝送路
【図１】
2017077746.tif 000003
【図２】
2017077746.tif 000004
【図３】
2017077746.tif 000005
【図４】
2017077746.tif 000006
【図５Ａ】
2017077746.tif 000007
【図５Ｂ】
2017077746.tif 000008
【図５Ｃ】
2017077746.tif 000009
【図６】
2017077746.tif 000010
【図７】
2017077746.tif 000011
【図８】
2017077746.tif 000012
【図９】
2017077746.tif 000013
【図１０】
2017077746.tif 000014
【国際調査報告】
2017077746.tif 000015
2017077746.tif 000016